(57)【要約】【課題】接触部が千鳥足状に配列されている場合でも、端子部に大きなピッチをもたせることが容易に可能なコネクタを提供すること。【解決手段】複数のコンタクト部材がインシュレータ１１に二列に保持される。コンタクト部材は、二列の各々に第１のコンタクト１３と第２のコンタクト１４とを有する。第１及び第２のコンタクトは、相手側コンタクトに接続するための接触部１３ａと、接続対象物に接続するための端子部１３ｂとをそれぞれ有する。第１のコンタクトの端子部は所定列に纏めて配置される。第２のコンタクトは、二列の一方に配置されたものと他方に配置されたものとで互いに反転した姿勢を有する。第２のコンタクトのうち二列の一方に配置されたものの端子部は、所定列の一側に配置され、第２のコンタクトのうち二列の他方に配置されたものの端子部は、所定列の他側に配置されている。【選択図】図６
2005302481.tif 000002
【特許請求の範囲】
【請求項１】
インシュレータと、前記インシュレータに二列に保持された複数のコンタクト部材とを備え、
前記コンタクト部材は、前記二列の各々に第１のコンタクトと第２のコンタクトとを含み、
前記第１のコンタクト及び前記第２のコンタクトは、相手側コンタクトに接続するための接触部と、接続対象物に接続するための端子部とをそれぞれ有し、
前記第１のコンタクトの端子部は所定列に纏めて配置され、
前記第２のコンタクトは、前記二列の一方に配置されたものと他方に配置されたものとで互いに反転した姿勢を有し、
前記第２のコンタクトのうち前記二列の一方に配置されたものの端子部は、前記所定列の一側に配置され、
前記第２のコンタクトのうち前記二列の他方に配置されたものの端子部は、前記所定列の他側に配置されていることを特徴とするコネクタ。
【請求項２】
前記第１のコンタクト及び前記第２のコンタクトのうち、前記二列の一方に配置されたものの接触部と、前記二列の他方に配置されたものの接触部とが、互いに離間した二列上にそれぞれ配置されている、請求項１に記載のコネクタ。
【請求項３】
前記所定列は、前記接触部を配置した二列の間に対応するように位置づけられている、請求項２に記載のコネクタ。
【請求項４】
前記二列の各々において、前記第２のコンタクトは二本が互いに隣接配置され、前記第１のコンタクトは前記第２のコンタクトの隣接配置されたものの隣に配置されている、請求項１−３のいずれかに記載のコネクタ。
【発明の詳細な説明】
【技術分野】
【０００１】
本発明は、複数のコンタクト部材を備えたコネクタに関し、特に、コンタクトの接触部と端子部との配列を異ならせたコネクタに関する。
【背景技術】
【０００２】
一般的なコネクタは、インシュレータと、そのインシュレータに保持された複数のコンタクト部材とを含んでいる。各コンタクト部材は、相手側コンタクトに接続するための接触部と、接続対象物である基板に接続するための端子部とを有している。基板に対する端子部の接続は、端子部を基板に半田付けしたり、端子部を基板のスルーホールに挿入したりすることで行われる。この関係で、接触部に比べ端子部には大きなピッチをもつことが望まれる。コンタクトの端子部のピッチ変換を行う技術は、例えば特許文献１−３などに開示されており、コンタクトの接触部がグリッド状に整列されているコネクタにあっては有効である。
【０００３】
しかしながら、接触部が２列にかつ列間で半ピッチずれている場合、即ち、接触部が千鳥足状に配列されている場合には、メリットが得られない。
【０００４】
【特許文献１】特開平８−１６２１８７号公報
【特許文献２】特開２００２−１５１１８７号公報
【特許文献３】特開２００２−３３４７４８号公報
【発明の開示】
【発明が解決しようとする課題】
【０００５】
それ故に本発明の課題は、接触部が千鳥足状に配列されている場合でも、端子部に大きなピッチをもたせることが容易に可能なコネクタを提供することにある。
【０００６】
本発明の他の課題は、二種類のコンタクトを用いて前記課題を解決することにある。
【課題を解決するための手段】
【０００７】
本発明によれば、インシュレータと、前記インシュレータに二列に保持された複数のコンタクト部材とを備え、前記コンタクト部材は、前記二列の各々に第１のコンタクトと第２のコンタクトとを含み、前記第１のコンタクト及び前記第２のコンタクトは、相手側コンタクトに接続するための接触部と、接続対象物に接続するための端子部とをそれぞれ有し、前記第１のコンタクトの端子部は所定列に纏めて配置され、前記第２のコンタクトは、前記二列の一方に配置されたものと他方に配置されたものとで互いに反転した姿勢を有し、前記第２のコンタクトのうち前記二列の一方に配置されたものの端子部は、前記所定列の一側に配置され、前記第２のコンタクトのうち前記二列の他方に配置されたものの端子部は、前記所定列の他側に配置されていることを特徴とするコネクタが得られる。
【０００８】
前記第１のコンタクト及び前記第２のコンタクトのうち、前記二列の一方に配置されたものの接触部と、前記二列の他方に配置されたものの接触部とが、互いに離間した二列上にそれぞれ配置されていてもよい。
【０００９】
前記所定列は、前記接触部を配置した二列の間に対応するように位置づけられていてもよい。
【００１０】
前記二列の各々において、前記第２のコンタクトは二本が互いに隣接配置され、前記第１のコンタクトは前記第２のコンタクトの隣接配置されたものの隣に配置されていてもよい。
【発明の効果】
【００１１】
本発明のコネクタは、二種類のコンタクトを用いて、接触部が千鳥足状に配列されている場合でも、端子部に大きなピッチをもたせることを容易に可能にするという利点がある。
【発明を実施するための最良の形態】
【００１２】
図１−図６を参照して、本発明の実施の形態に係るコネクタについて説明する。
【００１３】
図示のコネクタ１０は、インシュレータ１１と、インシュレータ１１に保持された複数の導電性のコンタクト部材とを備えている。コンタクト部材は、第１のコンタクト１３と第２のコンタクト１４とに大別される。
【００１４】
第１のコンタクト１３は、相手側コネクタ（図示せず）のコンタクトに接続するための接触部１３ａと、機器（図示せず）に取り付けられた接続対象物である基板に接続するための端子部１３ｂと、これらの間にあってインシュレータ１１に圧入される保持部１３ｃとを有している。第２のコンタクト１４は、相手側コネクタのコンタクトに接続するための接触部１４ａと、基板に接続するための端子部１４ｂと、これらの間にあってインシュレータ１１に圧入される保持部１４ｃとを有している。端子部１３ｂ、１４ｂの各々は、基板に形成したスルーホールを利用して半田などにより接続される。
【００１５】
コンタクト部材は、水平な第１の方向Ａ１に二列即ちＡ列及びＢ列をなして配列されている。Ａ列及びＢ列の各々には、第１のコンタクト１３と第２のコンタクト１４とがそれぞれ複数本ずつ配置されている。第１のコンタクト１３の端子部１３ｂは、第１及び第２の方向Ａ１、Ａ２に直交する水平な第３の方向Ａ３における中央で第１の方向Ａ１にのびた所定列即ち中央列に纏めて配置されている。
【００１６】
第２のコンタクト１４は、Ａ列に配置されたものとＢ列に配置されたものとで互いに反転した姿勢を有している。この結果、第２のコンタクト１４のうちＡ列に配置されたものの端子部１４ｂは中央列の一側に、Ｂ列に配置されたものの端子部１４ｂは中央列の他側に、それぞれ端子部１４ｂから離間して配置され、端部列を構成している。
【００１７】
コンタクト部材のうち、Ａ列に配置されたものの接触部１３ａ、１４ａと、Ｂ列に配置されたものの接触部１３ａ、１４ａとが、互いに離間して第１の方向Ａ１にのびた二列上にそれぞれ配置されている。前記中央列は、接触部１３ａ、１４ａを配置した二列の間に対応するように位置づけられている。これらの列の各々において、第２のコンタクト１４は二本が互いに隣接配置され、第１のコンタクト１３は第２のコンタクト１４の隣接配置されたものの隣に配置されている。
【００１８】
さらに、接触部１３ｂ、１４ｂを間隔をおいて取り囲んだ金属製のシェル１６を備えている。シェル１６はインシュレータ１１に固定された筒状の嵌合部１６ａと、嵌合部１６ａの上端近傍から内側に突設されたシェル接触バネ１６ｂと、嵌合部１６ａから下方に延出してインシュレータ１１よりも下方へ突出した対のシェル端子１６ｃと、嵌合部１６ａから第３の方向Ａ３に延出した、機器のフレームに取り付けるための取付部１６ｄとを有している。
【００１９】
インシュレータ１１は位置決めボス１１ａを有している。位置決めボス１１ａを用いて基板に対するコネクタの位置決めがなされる。図７には、機器の基板１７とフレーム１８とにコネクタ１０を取り付けた状態を示した。なお、１９はコネクタ１０に接続されたケーブルである。
【００２０】
図８を参照して、接触部１３ａ、１４ａの配列（ａ）と端子部１３ｂ、１４ｂの配列（ｂ）との関係について説明を追加する。
【００２１】
図８（ａ）中に記した数字１〜９はコンタクトの接触部にそれぞれ対応して付されている。また図８（ｂ）中に記した数字１〜９はコンタクトの端子部にそれぞれ対応して付されている。同じ数字は同じコンタクトを示している。
【００２２】
コンタクトの接触部は、図８（ａ）中の数字１〜９で示すように第１の方向Ａ１において千鳥足状に配列されている。一方、コンタクトの端子部は、図８（ｂ）中の数字１〜９で示すように３列に配列されている。
【００２３】
図９を参照して、第１のコンタクト１３及び第２のコンタクト１４について説明を付加する。
【００２４】
図９（ａ）は、Ａ列の第２のコンタクト１４形成に使用し得る中間部品を示している。この中間部品において、第２のコンタクト１４の端子部側にキャリア２１が一体に形成されている。この中間部品は、通常、キャリア２１をリール状に巻き取ってあり、それを必要な長さにカットされる。一定の長さで連続的にカットするため、コンタクトが半端な本数になることがある。その場合には、不要となるコンタクト（鎖線で示した）を切除する。
【００２５】
図９（ｂ）は、Ｂ列の第２のコンタクト１４形成に使用し得る中間部品を示している。この中間部品において、第２のコンタクト１４の端子部側にキャリア２２が一体に形成されている。図９（ａ）の中間部品と図９（ｂ）の中間部品とは、第２コンタクト１４形状が同じであり、同一の金型から作製できる。したがって、Ａ列の第２コンタクト１４及びＢ列の第２のコンタクト１４を同じ中間部品、即ち、図９（ａ）の中間部品と図９（ｂ）の中間部品とのいずれか一方から作ってもよい。
【００２６】
図９（ｃ）は、第１のコンタクト１３の形成に使用し得る中間部品を示している。この中間部品において、第１のコンタクト１３の端子部側にキャリア２３が一体に形成されている。
【００２７】
次に、コネクタの具体的な組立を説明すると、図９（ａ）、（ｂ）、及び（ｃ）の中間部品をキャリア２１、２２、２３をもったままインシュレータ１１に圧入により組み付ける。その後、キャリアを除去（折り取り、切断等）し、端子部１３ｂ、１４ｂの位置を補正する部品ロケータ２４をインシュレータ１１に圧入により組み込む。また、シェル１６もインシュレータ１１に組み付ける。なお、これらの組立順序は入れ替わってもよい。
【００２８】
上述したコネクタによると、嵌合部では接触部が２列の千鳥足状に配列され、端子部は３列に配列される。したがって、小型のコネクタでも限られたスペースを有効に使い、基板側では端子部に十分に広いピッチと列間を与えることができる。
【００２９】
さらに、２本の第２のコンタクトを信号ラインの接続に使い、１本の第１のコンタクトをグランド接続に使うことにより、合計３本のコンタクトセットにより三角形状の配列を、接触部側のみならず端子部側においても実現できる。したがって、より高い電気的性能を得ることができる。
【００３０】
本実施例の説明では、第２のコンタクト１４を反転して用いた場合について説明したが、第１のコンタクト１３も反転して用いる、すなわち、第１及び第２の両方のコンタクトをそれぞれ反転して用いるようにしてもよい。
【図面の簡単な説明】
【００３１】
【図１】本発明の実施の形態に係るコネクタの外観斜視図である。
【図２】図１のコネクタの平面図である。
【図３】図１のコネクタの正面図である。
【図４】図１のコネクタの底面図である。
【図５】図１のコネクタの側面図である。
【図６】図１のコネクタの垂直断面拡大概略図である
【図７】図１のコネクタの取り付け状態を示した説明図である。
【図８】図１のコネクタにおける接触部の配列（ａ）と端子部の配列（ｂ）との関係について説明するための説明図である。
【図９】図１のコネクタにおける第１のコンタクト及び第２のコンタクトについて説明するための図である。
【符号の説明】
【００３２】
１０  コネクタ
１１  インシュレータ
１１ａ  位置決めボス
１３  第１のコンタクト
１３ａ  接触部
１３ｂ  端子部
１３ｃ  保持部
１４  第２のコンタクト
１４ａ  接触部
１４ｂ  端子部
１４ｃ  保持部
１６  シェル
１６ａ  嵌合部
１６ｂ  シェル接触バネ
１６ｃ  シェル端子
１６ｄ  取付部
２１、２２、２３  キャリア
２４  部品ロケータ
【図１】
2005302481.tif 000003
【図２】
2005302481.tif 000004
【図３】
2005302481.tif 000005
【図４】
2005302481.tif 000006
【図５】
2005302481.tif 000007
【図６】
2005302481.tif 000008
【図７】
2005302481.tif 000009
【図８】
2005302481.tif 000010
【図９】
2005302481.tif 000011